(57)【要約】      （修正有）【課題】メガネのレンズが嵌るリムであって、レンズの割れや欠けを防止する為に、レンズ外周に部分的な応力が作用しないようにしたリム形態を提供する。【解決手段】リム１の表面に切欠き部６、７を形成してリム１の曲げ剛性を低下させ、レンズに作用する無理な応力を抑制する。さらに、リムの全周に亘って正面側と背面側に小さい切欠き部６、７を複数個形成し、正面側切欠き部と背面側切欠き部の位置をズラシたリム形態とすることが好ましい。【選択図】図３
2015014673.tif 000002
【特許請求の範囲】
【請求項１】
メガネのレンズが嵌るリムにおいて、該リムの表面に切欠き部を形成して該リムの曲げ剛性を低下させ、レンズに作用する無理な応力を抑制することを特徴とするメガネのリム形態。
【請求項２】
リムの全周に亘って正面側と背面側に小さい切欠き部を複数個形成し、正面側切欠き部と背面側切欠き部の位置をズラシた請求項１記載のメガネのリム形態。
【請求項３】
リムの曲率の大きな部分の正面側と背面側に切欠き部を形成した請求項１記載のメガネのリム形態。
【発明の詳細な説明】
【技術分野】
【０００１】
本発明はメガネのレンズが嵌るフロントフレームのリム形態に関するものである。
【背景技術】
【０００２】
図５は従来の一般的な金属製メガネフレームを示している。同図から明らかなように該メガネフレームはフロント部(イ)の両側にツル(ロ)、(ロ)を折畳み可能に取付けたものであって、フロント部(イ)は両リム(ハ)、(ハ)を連結部材(ニ)によって連結され、リム(ハ)、(ハ)の外側にはヨロイ(ホ)、(ホ)がロウ付けされている。上記ツル(ロ)はこのヨロイ(ホ)に蝶番(ヘ)を介して折畳み出来るように取付けされている。又同図の(ト)は鼻当てパットを示し、メガネを掛けた場合に鼻に当ってフロント部(イ)が支えられる。
【０００３】
ところで、上記フロント部(イ)のリム(ハ)にはレンズが嵌められることになるが、リム外側には図６に示しているようなリムロック(チ)が、ヨロイ(ホ)の内側（背面側）で正面からは見えないように設けられ、ネジ(リ)を緩めるならばリム(ハ)の周長が拡大してレンズを嵌めたり外したりすることが出来る。すなわち、リムロック部でリング状のリム(ハ)は開口することが出来、ネジ(リ)を締めてロックすることでリム(ハ)に嵌めたレンズは外れないようになる。
【０００４】
このリムロック(チ)はリム外側にロウ付けされた後で、同図に示すようにテーパ状に切断される。これはネジ締めした際に両ロック片(ヌ)、(ル)が正しく噛合う為であり、その為にリム(ハ)の切口は段差なく接合する。ところで、レンズをリム(ハ)に嵌めてリムロック(チ)をネジ締めするならば、レンズはリム(ハ)に拘束されて外れないようになると共に、レンズの外形形状とリム形状との間に寸法誤差が生じているならば該レンズに部分的な高い応力が作用してレンズ割れやレンズの欠けを招くことになる。
【０００５】
レンズの外形形状は比較的正確に切削加工出来るが、金属製リムにあってはその材質の微妙な変化によってリム線の塑性変形が均一でなく、全て正確なリム形状に曲げ加工することは出来ない。従って、所定の形状でないリムにレンズを嵌めて締め付けるならば、レンズになじむと共にレンズには部分的に高い応力が作用する。従来ではリムに嵌るレンズに無理な応力が作用しないように構成したリムに関する技術も色々知られている。
【０００６】
例えば、特開２００１−３３０８０２号に係る「メガネのリム構造」は、メガネのレンズを嵌める為のリムであって、従来のようなリムロックを備えることなく、リムに嵌めたレンズに部分的に高い応力を与えてレンズ割れを発生することのないリムである。リムはリム本体と補助リムからなり、レンズ外周をリム本体と補助リムにて挟み込んでレンズを取付けている。
【０００７】
特開２００１−２８１６０５号に係る「メガネフレームのリム」は、レンズを嵌めるリムであって、レンズ外周には溝が形成され、この溝に無理な応力が作用しないようにしたものである。リムは板材から成って、内周を切欠いて所々には嵌合部を形成し、レンズ溝にはこの嵌合部が嵌ってレンズがリムに止着される。しかし、これら従来のリム形態はその構造が複雑で、リムの加工も面倒である。
【特許文献１】特開２００１−３３０８０２号に係る「メガネのリム構造」
【特許文献２】特開２００１−２８１６０５号に係る「メガネフレームのリム」
【発明の開示】
【発明が解決しようとする課題】
【０００８】
このように、従来のメガネフレームのリムには上記のごとき問題がある。本発明が解決しようとする課題はこの問題点であり、リムの形状に多少の誤差があっても、該リムにレンズを嵌めた場合に部分的な応力を与えてレンズ割れを発生することのない極めて簡単な構造で構成することが出来るメガネのリム形態を提供する。
【課題を解決するための手段】
【０００９】
本発明のメガネリムはレンズ外周を拘束するリング体であり、又は半円弧体として構成し、そしてリムの全周表面又は一部表面を切欠いて曲げ剛性を低下している。ここで、切欠き部とは複数の小さい切欠き溝とする場合、又は一定長さに亘って連続して形成する場合があり、該切欠き部は一般にリムの正面側及び背面側に設けられる。
【００１０】
リムの形状は多種多様であり、完全な円形リムであればその曲率は均一である為に全周に亘って複数の小さい切欠き部を等間隔で形成し、概略楕円形のリムであれば曲率の大きな部分にのみ小さい切欠き部を形成したり、又は所定長さの切欠き部を連続して形成することが出来る。ここで、曲率の大きな部分とは、リム形状を概略だ円形又は概略長円形とした場合に形成されるリムの特定領域を示し、絶対的な数値をもって特定する領域ではない。
【発明の効果】
【００１１】
本発明に係るリムはその表面に切欠き部を形成している為に、曲げ剛性は低下し、レンズの外周を拘束する場合に該レンズに無理な応力が働かないようになる。リムを構成する線材は、レンズが外れなうようにする為にある程度の太さ（外形寸法）が必要である。全周に亘っての細いリム線ではレンズが外れ落ちる虞があるが、本発明では切欠き部を所々に設けることで、レンズがリムから外れ落ちることはない。そして、切欠き部を形成することで曲げ剛性が低下してレンズに無理をかけることなく拘束することが出来る。
【００１２】
従ってリムにレンズを嵌めてリムロックを締め付ける際に、リム形状の誤差に基づいて部分的な高い応力の発生はなく、レンズに無理はかからず、その為にレンズが割れたり欠けたりしない。一方、メガネのフロント部を構成するリムに切欠き部を形成することで、デザインとしての効果を得ることも可能となる。
すなわち、リムを塗装したり、メッキしたり、又はプリントしたりする装飾手段は従来から周知であるが、リムの表面に形成する切欠き部はメッキやプリントなどでは得られない装飾性を表現出来る。
【図面の簡単な説明】
【００１３】
【図１】本発明に係るメガネのリム形態を示す正面図。
【図２】図１のＥ−Ｅ断面拡大図。
【図３】図１におけるリムのＡ，Ｂ，Ｃ，Ｄ部を示す部分拡大図。
【図４】図１におけるリムのＡ，Ｂ，Ｃ，Ｄ部を示す部分拡大図。
【図５】一般的なメガネフレーム。
【図６】外側にリムロックを備えたリム。
【発明を実施するための形態】
【００１４】
図１は本発明に係るリム１を示す実施例であり、リム１はリング体をなしている。両リム１，１は連結部材２によってロウ付けされて左右対称に繋がれ、そしてリム１の外側にはリムロック３が取着されている。リムロック３は上下の一対のリムロック片４ａ，４ｂを有し、各リムロック片４ａ，４ｂはリム１の両先端にロウ付けされ、リム１に嵌ったレンズをリムロック３をネジ締めすることで外れないように拘束することが出来る。この点は従来のリムと同じである。
【００１５】
ところで、本発明のリム１はその表面に切欠き部を形成している。同図に示すリム１は完全な円形のリング体ではなく、その為に曲率の大きな部分と曲率の小さい部分とがある。同図において曲率の大きな部分はＡ，Ｂ，Ｃ，Ｄの領域であり、その他の部分は上記Ａ，Ｂ，Ｃ，Ｄの領域に比較して曲率が比較的小さく成っている。
【００１６】
図２は図１のＥ−Ｅ断面拡大図であり、リム１の内周側には凹溝５が連続して形成され、この凹溝５にレンズ外周が係合することでレンズはリム１に嵌って取付けられる。その為に、レンズ外周は凹溝５に係合する為に凸部を全周に亘って形成している。一方、リム１の内周に細幅の凸部２を沿設し、レンズ外周に凹溝を設け、レンズ外周の凹溝にリム凸部が嵌ることでリム１にレンズが嵌るようにする場合もある。
【００１７】
図３は図１に示すリム１のＡ、Ｂ，Ｃ，Ｄの領域を示す部分拡大図である。リム１の正面側には切欠き部６，６・・・を形成し、背面側には切欠き部７，７・・・を形成している。そして、正面側の切欠き部６，６・・・と背面側の切欠き部７，７・・・は同一位置ではなく、１／２ピッチ位置ズレしており、正面側切欠き部６，６・・・が形成される中間位置に背面側の切欠き部７，７・・・を設けている。
【００１８】
同じ位置に正面側切欠き部６と背面側切欠き部７を設けるならば、切欠き部位の強度が極端に低下する為に、互い違いに切欠き部６，７，６，７・・・を設けることでほぼ均等な剛性となる。このように、切欠き部６，６・・・、７，７・・・を設けることで領域Ａ，Ｂ，Ｃ，Ｄの曲げ剛性は低下し、リム１に嵌るレンズに他の領域より大きな応力の作用を避けることが出来る。
【００１９】
勿論、曲げ剛性だけを低下させるのであれば、細い線材を使用してリム１を構成することは可能であるが、リム１の内周にはレンズ外周が係合する為の凹溝５を設ける必要があり、レンズが外れないようにするには余りに細いリムでは無理である。本発明のように、切欠き部６，６・・・、７，７・・・はリム１の正面側と背面側の所々に形成されることで、リム線の幅寸法（太さ）は小さく成らず、レンズ外周が嵌る十分な凹溝５を形成することが出来る。
【００２０】
図４は図１のＡ，Ｂ，Ｃ，Ｄ領域の他の実施例を示す部分拡大図である。すなわち、リム１の正面側には切欠き部８を形成し、背面側には切欠き部９を形成している。この切欠き部８，９は前記図３に示した切欠き部６，６・・，７，７・・・とは異なり、Ａ，Ｂ，Ｃ，Ｄ部の全領域に亘って連続した切欠き部８，９と成っている。同図では正面側切欠き部８と背面側切欠き部９は同一位置に形成されているが、互いにその位置をズラスことも出来る。
【００２１】
ところで、切欠き部８，９を形成した部分は他の部分に比較して細く成っていることから、内周に形成される凹溝５は小さくなるが、切欠き部８，９のない他の部分（Ａ，Ｂ，Ｃ，Ｄ以外の部分）での凹溝５は大きい為に、リム１に嵌ったレンズが外れ落ちることはない。
【００２２】
図１に示すリム１は円形のリング体ではなく、変形した円形であることから、曲率の大きいＡ，Ｂ，Ｃ，Ｄ部が形成される。近年のメガネリムはデザインが重視されることから完全な円形リムを用いることは少ないが、円形リムの場合であれば、図３に示す切欠き部６，６・・・と切欠き部７，７・・・を全周に亘って設けることが出来る。
【００２３】
一方、リムには完全なリング体でなく、ハーフリムとする場合もある。すなわち、レンズの上側を金属製の線材で構成するハーフリムで拘束し、下側は水糸（高張力糸）にて保持する場合もある。このハーフリムの場合も曲率の大きな部分に前記図３や図４に示す切欠き部を形成することで、レンズに無理な応力が作用しないようにすることが可能である。
【符号の説明】
【００２４】
１   リム
２   連結部材
３   リムロック
４   リムロック片
５   凹溝
６   切欠き部
７   切欠き部
８   切欠き部
９   切欠き部
【図１】
2015014673.tif 000003
【図２】
2015014673.tif 000004
【図３】
2015014673.tif 000005
【図４】
2015014673.tif 000006
【図５】
2015014673.tif 000007
【図６】
2015014673.tif 000008